(57)【要約】【課題】  芝生育成維持管理で施肥、芝刈りだけせは解決しない雑草防除と、踏み固め風雨の影響、育成斑等で凹凸化、老朽化回避を芝生雑草除去と活性化の芝根切りを同一装置で仕様を切り替え変更で行なう。【解決手段】除草、根切り刃回転ドラムの回転軸軸線を走行車台進行方向と直角、１２０度程の方向いずれでも、芝生床面と平行で軸線間距離を変更しても平行状態を保てる支持車輪を配置した車台で除草、根切り刃回転ドラム保持。除草、根切り刃回転ドラムの進行角度を変更して、除草、根切り作業に供する。【選択図】      図４
2005229996.tif 000002
【特許請求の範囲】
【請求項１】
装置手押し走行で除草、根切り用の刃装着回転ドラムの回転軸軸線を車台進行方向と直角で根切り、又、更におよそ３５度程ずらした雑草除去いずれの状態でも車台車輪タイヤ接地面すなわち芝生地面と平行状態を保ち距離変更が可能なように車台に４つの車輪を配置、うち３車輪で車台を支持して距離変更を可能にして根切り、雑草除去いずれの作業時でも１つの車輪支持距離を変える事で刃装着回転ドラムの回転軸軸線と芝生地面との平行状態距離調整可能にした事に特徴のある芝生根切り、雑草除去装置。
【発明の詳細な説明】
【発明の詳細な説明】
【技術分野】
【０００１】公園、校庭、グラウンド等の芝生育成維持管理等で、芝生刈込み後に芝より早く伸びる雑草除去、芝生老朽化回避の芝生活性化に必要な芝の根切り分枝作業に関するものである。
【背景技術】
【０００２】多目的芝生広場等の維持管理に於いて、芝生雑草を生態系環境破壊をもたらす農薬防除否定では施肥、雑草を含めた芝刈りが精一杯である。芝刈り後に芝より早く繁茂する雑草除去等には、特開２００２−３５４９７８芝生管理装置等が公知である。これ等の装置には芝生の根切り分枝、芝老朽化回避に必要な芝生地面下を一定の深さで耕すに準ずる機能は無く、大面積での使用機器は円盤星型状複数個配列のカッターを回転、芝生地面に切り込みを入れ根切り等、又複数個の棒状ピンを芝生地面に差込み耕すに準ずる作業で活性化させる大型装置等は既に実用化されているが、装置は高価で小規模面積の芝生維持管理には不適当である。
【発明が解決しようとする課題】
【０００３】既に公知の芝生管理装置と芝生老朽化回避に必要な芝生根切り装置機能を実利的方法で融合合体させ制作容易な低廉な高齢者でも簡易に扱える実利的な手押し装置を供給しようとした。櫛歯形状の刃装着回転ドラム回転軸軸線を進行方向直角と斜め方向でも芝生面と平行且つ距離変更が車台を支持する４車輪の内１車輪を作業に応じ非接地として１車輪を簡易に一ハンドル操作で支持位置を変えれば容易に作業が行なえ、非作業時装置回送の刃装着回転ドラム乖離が行なえるようにした。
【課題を解決するための手段】
【０００４】除草、根切り刃装着回転ドラム、着脱可能な櫛歯形状の刃を、円盤状ホルダーの円周部側面に装着して、回転ドラム軸の軸線方向にスペーサを介在させ一定間隔複数個、両端部をナットで締め刃装着回転ドラムを構成。回転ドラム軸を回転させ、刃先を芝生地面と一定の高さ、又は深さに保ち斜め進行で各々の刃先が芝生地面を半円形の波線で、髪の毛を梳かす要領で斜めに鋤きながら移動。隣の刃先の半円形の波線と一部重なる様になり複数で幅拡大。又回転軸を進行方向直角で回転させ刃先を芝生地面の一定の深さに保ち鋤くと一定深さ刃幅の溝が一定間隔で複数条できる。エンジン搭載四輪移動車台に除草、根切り用刃装着回転ドラムを装着、作業環境に合せ、四車輪取り付けうち三車輪で移動車台高さを夫々調整、進行方向先端一つの車輪高さ支持調整で除草、根切り作業時に刃装着回転ドラム回転軸線を常に芝生地面と平行且つ距離が変更可能な様に支持する。
【発明を実施するための最良の形態】
【０００５】実施例に基ずき、図に従い説明する。図１は除草・根切り用の櫛歯形状の刃装着回転ドラムＡの説明図。六角材加工の回転軸ＢにスペーサＥを介在させ円盤状刃ホルダーＣの円周部側面に櫛歯形状の除草・根切り刃Ｄを２本のネジで着脱自在とし作業時の負荷バランスを考慮し刃をスパイラル状にして配置固定、。円盤状刃ホルダーＣ一定間隔複数個配置、その両端を締め付けナットＦで締め付け固定して刃装着回転ドラムＡを構成とする。円盤状刃ホルダーＣの中心には回転軸の６角材を嵌め込む６角穴で回り止めとする事は言うまでもない。又円周側面に除草、根切り刃Ｄを２個ないし３個装着も作業状況に応じホルダー径を大きくすれば可能となる。【０００６】図２は刃装着回転ドラムＡを取り付け構成する駆動部Ｇ、回転ドラム軸回転保持用の門型フレームＨの上に更に動力伝達軸Ｉを回転保持する小門型フレームＪを配置。門型フレームＨの上中央部にエンジン搭載台Ｋを固定、防振ゴム材Ｌを介在させエンジンＭを固定しエンジンの出力軸に遠心クラッチ付きＶプーリＮ、そのＶプーリと伝達軸Ｉの両端のＶプーリＯ、夫々Ｖベルトを介して刃装着回転ドラムＡのＶプーリーに回転が伝えられる。【０００７】図３は、装置根切り状態平面図。駆動部Ｇを搭載する車台Ｐは車台フレームＱの進行後方側に車台を支持するための後方車輪左Ｒ、後方車輪右Ｓ、中間車輪Ｔ、前方中央に車輪Ｕの４車輪で車台Ｐは支持される。夫々の車輪タイヤ接地面より車台フレームＱを支える点は夫々支持距離が変えられる。後方車輪左Ｒ、後方車輪右Ｓ、中間車輪Ｔには、車輪保持上下調整具Ｖが車台フレームＱに固定され車台Ｐは支持。後方車輪左Ｒと後方車輪右Ｓ、中間車輪Ｔのタイヤ接地面の位置関係は図４の図示参照、中間車輪Ｔをおよそ３５度の位置関係で支持する。前方中央の車輪Ｕは車台Ｐが３輪支持で安定する位置で差し支えない。【０００８】車輪保持上下調整具Ｖの上部に取り付けられた上下調整用のツマミを回す事で夫々の車輪はタイヤ接地面と車台フレームＱの支持距離が夫々変更可能となる。前方中央の車輪Ｕは車輪支持具Ｙと主高さ調整ハンドルＷを連結シャフトＸで繋ぎ主高さ調整ハンドルＷを回す事で連結シャフト端部取り付けのネジ部引き寄せで車輪Ｕは車輪支持具Ｙの支持支点を支えに円弧を描きながら台車フレーム側に近ずき車輪Ｕ支持支点を接地面より押し上げる。車台フレームＱの後方に車台移動と操作等に必要な移動操作ハンドルＺを備える。【０００９】図５は駆動部Ｇの刃装着回転ドラムＡの回転ドラム軸線を、進行方向直角に搭載した根切り状態側面図、平面図は図３で示す。図４は駆動部Ｇの刃装着回転ドラムＡ回転ドラム軸を、角度変更支持点ＺＢを支えにして進行方向直角より３５度程ずらし斜め搭載状態、除草状態に固定し後方車輪左Ｒと中間車輪Ｔのタイヤ接地面とを結ぶ線と平行の位置関係保てる様にする。【００１０】以上の構成により実際の使用は、図３、図４、図５参照。根切り作業では駆動部Ｇ、刃装着回転ドラムＡの回転ドラム軸軸線を車台Ｐの進行方向に対して直角に固定、且つ芝生面すなわちタイヤの接地面と刃装着回転ドラムＡの軸線を平行、除草・根切り刃Ｄが作業面から乖離した状態で平行状態を保てるように進行方向の後方車輪左Ｒ後方車輪右Ｓと前方車輪Ｕを夫々車輪保持上下調整具Ｖで支持高さ調整、主高さ調整ハンドルＷの操作で行なう。この時、中間車輪Ｔは作業等には必要が無いので可能な限りタイヤ接地を作業面から図示中間車輪逃げＺＤ距離にしておく。次いでエンジンＭ始動、回転を上げると遠心クラッチが入り刃装着回転ドラムＡが回転する。除草・根切り刃Ｄの刃先が所定の根切り一定深さＺＣに達するまで主高さ調整ハンドルＷを操作して車輪支持具Ｙの前方車輪Ｕを前方に押し出す。この状態で芝生面には根切り一定深さＺＣ、除草・根切り刃Ｄの巾で一定間隔で複数の半円径の切り込み溝が出来る。この時刃装着回転ドラムＡの回転根切りの力で駆動部搭載車台Ｐは少しの外力でも進行方向に進行させる事が出来る状態、移動操作ハンドルＺを押し出し人がゆっくり歩く速度程度で手押し作業制御を行なう。一定の深さ、刃巾で一定間隔で複数列の溝で芝生地面下を耕すに準ずる芝の根切り作業か行なえる。芝生に異物、アクシデント時には移動操作ハンドルＺを押し下げ後方車輪左Ｒ後方車輪右Ｓのタイヤ面を支点にして刃装着回転ドラムＡを異物から一時的に乖離、方向転換させ他の場所に移す事が出来る。作業完了時には主高さ調整ハンドルＷを操作して刃装着回転ドラムＡを芝生、移動面から乖離させ他の場所に移動させる事が出来るは言うまでもない。【００１１】除草作業では図４は刃装着回転ドラムＡの駆動部Ｇ、ドラムの回転軸線を車台進行方向に対して直角より更に角度変更支持点ＺＢを支えにして旋回、図示３５度程ずらして固定、芝生地面すなわちタイヤの接地面と刃装着回転ドラムＡの軸線を平行、除草・根切り刃Ｄが作業面から乖離した状態でも平行状態を保てるように進行方向の後方車輪左Ｒと中間車輪Ｔと前方車輪Ｕを夫々車輪保持上下調整具Ｖ、主高さ調整ハンドルＷの操作で行なう。この時後方車輪右Ｓは作業に直接必要が無いので作業に支障が出ないようにタイヤ面を芝生地面から離して置く。次いでエンジンＭ始動、エンジンＭの回転を上げ主高さ調整ハンドルＷを操作して芝生地面に刃装着回転ドラムＡが回転して除草・根切り刃Ｄの刃先が芝生地面所定の高さ、深さに達するまで車輪支持具Ｙの前方車輪Ｕを前方に押し出す。この状態で芝生地面の所定の深さ、高さの無段階調整で一定間隔、複数の半円径の斜めに刃の通過後が出来る。刃装着回転ドラムＡ除草・根切り刃Ｄの回転力で駆動部搭載車台Ｐは斜め方向に動こうとするが横ずれまでにはいたらず少しの外力でも直進進行させる事が可能から移動操作ハンドルＺで、人がゆっくり歩く程度の手押し作業制御を行なう。進行に依って斜め半円径縞模様状の溝が複数列、隣りの溝と重複し波形状になり、髪の毛を櫛で梳かす様な状態で芝生の中の雑草が刃先に引っ掛かり雑草は引き抜かれか千切られ飛散する。芝生の茎、直立茎は縦横無尽状態で刃の通過で交差する表面の茎は切断されるが部分的である。芝生育成活性化の為にはむしろ密生等は間引きで好ましい事でもある。芝生に異物、アクシデント時には移動操作ハンドルＺを押し下げ後方車輪左Ｒと非接地、乖離させてある後方車輪右Ｓを支点にして刃装着回転ドラムＡを異物から一時的に乖離させ他の場所に移す事が出来る。作業完了時には主高さ調整ハンドルＷを操作して刃装着回転ドラムＡを芝生、移動面から乖離させ他の場所に移動させる事が出来るは言うまでもない。
【発明の効果】
【００１２】芝を枯らさない除草剤、土壌改良剤と称し使用されている発芽抑制剤等に雑草防除依存では水質、土壌汚染等の環境破壊、生態系及び人体に悪影響を及ぼす事に加担する事こなる。社会的に認められる芝生雑草防除を人手頼りでは、費用が農薬使用時の１５倍くらい掛ると言われている。芝生が小面積なら手作業もあるが大面積の市民の憩いの場等多目的芝生広場では、環境配慮から芝刈りだけで雑草防除は予算の関係で出来難い所が多く芝生の雑草化が顕著である。芝刈り後芝生より早く雑草が繁茂、このような現場での芝生雑草除去は無理な姿勢、腰を落とした状態の作業では作業効率も悪く、季節ごとに千差万別状態で生え変わる雑草除去は省力機械による除草が至上要求だったが実利的な簡易装置提供はなかった。簡易操作で高齢者が歩く速度程度で押して行けは良く操作が極めて簡易で作業効率が極めてよい。
【００１３】又、芝生維持管理で施肥、芝刈りだけでは踏み固め、雑草の枯れた残骸、風雨等の影響で芝生面が凹凸化、経年の老朽化回避で凹部には目土入れで平坦化、芝生の活性化を計るが維持管理費用が多くかかるばかりではなく、芝生面が目土、埃等の蓄積で部分的に嵩上げされ育成斑が生じ易い。除草、根切りの機能切り替えで、刃装着回転ドラムの複数個の刃で２５ミリ間隔位で深さ３０ミリ位、装置を井桁状に走行させ芝の根を切りと耕す事に準ずる作業は、茎の分枝促進、芝の活性化は芝生を張ってからやったことが少ないだろうが活性効果が顕著に現れる。除草、根切りで福次的に芝面平坦化、密生間引き芽数適正枯れ葉除去等で根元風通が良くなり病虫害が防止効果も期待できる。装置制作は従来の芝刈機製造技術の延長同様で簡易、大部分構成部材は汎用品で賄う事が出来て至上要求にかなう低廉供給が可能で社会的貢献度は多大である。
【図面の簡単な説明】
【００１４】
【図１】刃装着回転ドラムＡ
【図２】駆動部Ｇ
【図３】装置根切り状態平面図
【図４】装置除草状態平面図
【図５】装置根切り状態側面図
【符号の説明】
Ａ  刃装着回転ドラム
Ｂ  回転軸
Ｃ  円盤状刃ホルダー
Ｄ  除草・根切り刃
Ｅ  スペーサ
Ｆ  締め付けナット
Ｇ  駆動部
Ｈ  門型フレーム
Ｉ  動力伝達軸
Ｊ  小門型フレーム
Ｋ  エンジン搭載台
Ｌ  防振ゴム材
Ｍ  エンジン
Ｎ  遠心クラッチ付きＶプリー
Ｏ  Ｖプリー
Ｐ  車台
Ｑ  車台フレーム
Ｒ  後方車輪左
Ｓ  後方車輪右
Ｔ  中間車輪
Ｕ  前方車輪
Ｖ  車輪保持上下調整具
Ｗ  主高さ調整ハンドル
Ｘ  連結シャフト
Ｙ  車輪支持具
Ｚ  移動操作ハンドル
ＺＡ  保護カバー
ＺＢ  角度変更支持点
ＺＣ  根切り一定深さ
ＺＤ  中間車輪逃げ
【図１】
2005229996.tif 000003
【図２】
2005229996.tif 000004
【図３】
2005229996.tif 000005
【図４】
2005229996.tif 000006
【図５】
2005229996.tif 000007